(57)【要約】  本発明は、消火薬剤の加圧時に消火器容器の膨張変形を防止することで安全且つ堅固であり、ドアや壁に容易に設置することができるパネル型消火器容器に関する。本発明によると、内部に充填された消火薬剤を噴射する噴射手段５０が結合される消火器容器であって、消火薬剤が充填される内部空間３２を形成すると同時に両面に前面板３０と後面板３１が形成されるパネル容器２０と、内部空間３２を横切って前面板３０と後面板３１とを互いに結合させる少なくとも一つの連結部材３３と、を含むパネル型消火器容器が提供される。  【選択図】図１
2013513421.tif 000002
【特許請求の範囲】
【請求項１】
内部に充填された消火薬剤を噴射する噴射手段（５０）が結合される消火器容器であって、
消火薬剤が充填される内部空間（３２）を形成すると同時に両面に前面板（３０）と後面板（３１）が形成されるパネル容器（２０）と、
前記内部空間（３２）を横切って前記前面板（３０）と後面板（３１）とを互いに結合させる少なくとも一つの連結部材（３３）と、
前記前面板（３０）と後面板（３１）との間に形成された補強溝（３４）と、を含むことを特徴とするパネル型消火器容器。
【発明の詳細な説明】
【技術分野】
【０００１】
本発明は、パネル型消火器容器に関し、特に、消火薬剤の加圧時に消火器容器の膨張変形を防止し、安全且つ堅固なパネル型消火器容器に関する。
【背景技術】
【０００２】
一般に、建築物には、火災の発生時に初期の鎮火のためにまたは消防車が出動するまで火災の拡散を遅延させるために消火器が備えられる。通常の消火器には、通常消火薬剤が充填される円筒状の消火器容器から構成され、安全ピンを取り外すと作動するインフレーターの加圧ガスにより消火薬剤を噴射するようになっている。
【０００３】
このような円筒状消火器は設置時に室内空間の一部を占めるため、人の通行に邪魔になったり視覚的に周辺のインテリアと釣り合わない場合がある。
【０００４】
近年では、室内の壁や天井またはドアなどに消火装置を埋め込んで、火災の発生時に自動的に消火薬剤を噴射できるようにしたパネル型消火器が開発されている。
このようなパネル型消火器は、消火器容器がパネルの形態になっていて、消火薬剤の加圧時に加圧ガスと消火薬剤によりパネル板の膨張変形（すなわち、パネル板が膨らむ現象）が発生する可能性が大きいため、消火器容器が破損または爆発するおそれがあるだけでなく、これらの安全上の問題により、消防規定などにより製品化されにくいという問題がある。
【発明の概要】
【発明が解決しようとする課題】
【０００５】
前述したような問題に鑑み、本発明の目的は、消火薬剤の加圧時に消火器容器の膨張変形を防止することで安全且つ堅固であり、またドアや壁への設置が容易で必要なとき便利に移動できることで、設置及び使用の便利なパネル型消火器容器を提供することにある。
【課題を解決するための手段】
【０００６】
本発明の一態様によると、内部に充填された消火薬剤を噴射する噴射手段５０が結合される消火器容器であって、消火薬剤が充填される内部空間３２が形成され、前面板３０と後面板３１が供えられるパネル容器２０と、内部空間３２を横切って前面板３０と後面板３１とを互いに結合させる少なくとも一つの連結部材３３と、を含むパネル型消火器容器が提供される。
【０００７】
本発明の別の態様によると、前面板３０と後面板３１との間には少なくとも一つの補強溝３４が形成されることを特徴とするパネル型消火器容器が提供される。
【発明の効果】
【０００８】
本発明によると、消火薬剤が充填される内部空間３２を形成すると同時に両面に前面板３０と後面板３１が形成されたパネル容器２０が備えられ、前面板３０と後面板３１は内部空間３２を横切る連結部材３３により互いに結合されるように備えられることで、パネル容器２０内に充填された消火薬剤の加圧による前面板３０と後面板３１の膨張変形（すなわち、加圧力により前面板３０と後面板３１が膨らむ現象）を防止できるだけでなく、これによりパネル容器２０の破損や変形または深刻な場合は爆発の危険を防止して、安全且つ堅固なパネル容器２０を提供することができるという利点がある。
【０００９】
また、前面板３０と後面板３１には、内部空間３２側に陥没形成された補強溝３４がさらに形成されることで、前面板３０と後面板３１を補強し内部の圧力を堅固に支えて、前面板３０と後面板３１の膨張変形をより堅固且つ安全に防止することができるという利点がある。
【図面の簡単な説明】
【００１０】
【図１】本発明の一実施形態を示す斜視図である。
【図２】本発明の一実施形態の断面図である。
【図３】本発明の一実施形態による噴射手段の断面図である。
【図４】本発明の別の実施形態を示す正面図である。
【発明を実施するための形態】
【００１１】
前述した本発明の目的、特徴、及び利点は、以下に詳述される説明で明らかになるであろう。
【００１２】
図１〜図４は、本発明のさまざまな実施形態を示す正面図および断面図である。
本発明の一実施形態によるパネル容器２０は、図１に示すように、内部に消火薬剤を充填できるように所定厚さの円板状に構成され、その外縁部には消火薬剤を噴射するための噴射手段５０が結合される。パネル容器２０の中央部には連結部材３３が備えられ、前面板３０と後面板３１が互いに結合される。この連結部材３３を中心に複数の補強溝３４が放射状に形成される。
【００１３】
噴射手段５０は、パネル容器２０の内部の消火薬剤を加圧排出するために加圧ガスが充填された密閉容器の形態からなるインフレーター４０と、このインフレーター４０が結合される噴射モジュール５１とを含む。インフレーター４０が結合される噴射モジュール５１の一側端からは注入管４１がパネル容器２０に連通され、インフレーター４０から排出される高圧ガスがパネル容器２０内に注入される。一方、噴射モジュール５１の他側には排出管４２がパネル容器２０と連通される。パネル容器２０内で高圧ガスにより加圧された消火薬剤は排出管４２を通して排出され、噴射モジュール５１を経てノズル６６から外部へ吐出される。このような噴射手段５０は様々な形態に変形されることができ、図示された実施形態のようにパネル容器２０の外部に設けられず、パネル容器２０内に内蔵されることもできる。
【００１４】
本発明の一実施形態によるパネル容器２０の詳細な構成を図２を参照して説明する。図示されたように、前面板３０と後面板３１は円形からなり、所定の幅を有する内部空間を形成するように互いに結合される。ここで、前面板３０と後面板３１は円形の他にも長方形や三角形などを含めて様々な形からなってもよい。また、前面板３０と後面板３１は、相互結合のために、その周縁に沿って折曲されたりまたは別の縁部材を備えて、それの溶接などにより接合されることができるだけでなく、一体に成形されることができる。パネル容器２０は、ドアに内蔵できる厚さまたは通常の額縁の厚さ（略３〜５ｃｍ）を有し、金属材質からなることが好ましいが、これに限定されるものではない。
【００１５】
なお、前面板３０と後面板３１は、その内部空間３２を横切って結合される連結部材３３により、膨張が防止されるように構成される。この連結部材３３は前面板３０と後面板３１の中心部を貫通し、その端部が前面板３０と後面板３１のそれぞれに溶接などにより気密を維持するように結合される。連結部材３３は短管体やボルトまたは円形棒など様々な形態で構成されることができる。また、前面板３０と後面板３１の大きさによって複数の連結部材３３が備えられてもよく、その一は適切に選択される。この連結部材３３により前面板３０と後面板３１が内部で互いに堅固に結合され、消火薬剤の加圧時に前面板３０と後面板３１の膨張変形を防止することができる。
【００１６】
なお、前面板３０と後面板３１には、連結部材３３を中心に複数の補強溝３４が放射状に延長される。この補強溝３４により前面板３０と後面板３１の剛性を補強して、前述された連結部材３３とともに前面板３０と後面板３１の膨張変形を防止することで、さらに堅固且つ安全な消火器容器を得ることができる。
【００１７】
本発明によるパネル容器２０はドアに内蔵されて自動的に消火薬剤を噴射することができ、または壁に額縁や飾り物のように掛けて保管し、火災時に取り出して火災現場に運んで手動操作により消火薬剤を噴射することもできる。
【００１８】
図３は、本発明の一実施形態による噴射手段の断面図であり、図示されたように、噴射手段５０は感熱による自動作動または手動操作でインフレーター４０を開放して消火薬剤の噴射が行われるように作動する噴射モジュール５１を備える。この噴射モジュール５１は、感熱プラグ６０及び安全ピン６２により取り外されるプラグ６１により保持される撃発器具７０及びこの撃発器具７０により保持されるバルブ８０を含んで構成される。
【００１９】
噴射モジュール５１はインフレーター４０が結合されると同時に注入管４１と排出管４２が連結されるモジュール本体５２を含む。このモジュール本体５２の内部には互いに連通されるストッパー孔５３とバルブ孔５４と軸孔５５が形成される。ストッパー孔５３はモジュール本体５２の横方向に貫通するように形成され、その内部にはスプリング５６により外側に弾性力を受ける状態で設けられる一対のストッパー５７が備えられる。ストッパー孔５３の一側の入口には、ストッパー５７のうち一つにプラグ６１が結合される。このプラグ６１は安全ピン６２によりモジュール本体５２に固定される。また、ストッパー孔５３の他側の入口にはストッパー５７のうち別の一つに感熱プラグ６０が結合されて、ストッパー５７を保持する。この感熱プラグ６０は、鉛または鉛合金のような低温溶融金属からなり、火災時に迅速に溶融される。
【００２０】
ストッパー孔５３の中央部にはインフレーター４０側に軸孔５５が形成され、この軸孔５５の内部にはストッパー５７により保持される撃発器具７０が備えられる。この撃発器具７０には可動ロッド７１が備えられ、その一端部のネック部７２はストッパー５７により両側から保持される。この可動ロッド７１はスプリング７３によりインフレーター４０の方に弾性加圧され、その先端部には可動ロッド７１により打撃されてインフレーター４０を開放する開放ピン５９が備えられる。
【００２１】
モジュール本体５２にはストッパー孔５３を基準に軸孔５５の反対側の位置に一対のバルブ孔５４が平行に形成される。このバルブ孔５４の端部には排出管４２と連通される連通孔６３が延長されると同時に、側面の一側には別の連通孔６４が形成される。連通孔６３の端部には連結管６５が連結され、この連結管６５の端部に、消火薬剤を外部に噴射するノズル６６が結合される。
【００２２】
排出管４２、バルブ孔５４、連通孔６３、６４、及び連結管６５は互いに連通されて消火薬剤が排出される排出管路を形成する。このような排出管路を開閉するために、バルブ孔５４の内部にはバルブ８０が設けられる。このバルブ８０は、排出口を遮断するバルブ体８１とこのバルブ体８１から延長形成されてストッパー５７にその端部が保持されるバルブストッパー８２を含み、このバルブストッパー８２にはスプリング８３が弾設され、ストッパー５７の保持が解除されるとスプリング８３の弾性力により前方に突進してバルブ体８１が排出管路を開放するように構成される。
【００２３】
このような構成によると、プラグ６１または感熱プラグ６０が手動操作により除去されたりまたは熱により自動的に除去されると、撃発器具７０の作動及びパネル容器２０とノズル６６間の排出管路が機械的連動により開放されて、消火薬剤がノズル６６を通して外部に噴出される。
【００２４】
ここで、一対のノズル６６が手動または自動的にそれぞれ作動されるように備えられる。安全ピン６２の除去により手動操作される場合、モジュール本体５２の一側に備えられる連結管６５またはこれに連結される消防ホース（図示せず）に備えられるノズル６６を通して消火薬剤が噴出される。感熱による自動作動の場合、前出された排出管路を通してモジュール本体５２の他側に備えられる別のノズル６６から消火薬剤が噴射される。
【００２５】
一方、本発明の別の実施形態によると、図４に示すように、前面板３０と後面板３１のそれぞれには、連結部材３３を中心に同心円状に複数の円形の補強溝３４が形成される。このような補強溝３４は放射状または円形の他にも波形状のように様々な形態に形成されることができる。
【００２６】
インフレーター４０は通常の密閉容器の形態で備えられ、自動車のエアバッグと同様にアジ化ナトリウムの化学反応により膨張させたり、圧縮気体または液化気体を利用して膨張させることができる。また、本発明のパネル容器２０が備えられた消火器を容易に運ぶために、パネル容器２０の一側にショルダーストラップを結合するためのリングをさらに形成されたり、別途のリングを設けずに連結部材３３を中空の短管体の形態に製作してショルダーストラップまたは壁に掛ける用途のストラップを結合させることができる。
【００２７】
本発明は、上述された実施形態及び添付の図面によって限定されるものではなく、本発明の技術的思想を逸脱しない範囲内で様々な置換、変形及び変更が可能であることは本発明の属する技術分野における通常の知識を有する者に明らかであろう。
【符号の説明】
【００２８】
２０            パネル容器
３０            前面板
３３            連結部材
３４            補強溝
４０            インフレーター
４１            注入管
４２            排出管
５０            噴射手段
５１            噴射モジュール
６１            プラグ
６２            安全ピン
【図１】
2013513421.tif 000003
【図２】
2013513421.tif 000004
【図３】
2013513421.tif 000005
【図４】
2013513421.tif 000006
【国際調査報告】
2013513421.tif 000007
2013513421.tif 000008
2013513421.tif 000009
2013513421.tif 000010